(57)【特許請求の範囲】
【請求項１】
インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型の情報案内ディレクトリ構築装置が行うネットワーク型情報案内ディレクトリ構築方法であって、
前記情報案内ディレクトリ構築装置の閲覧装置識別記号別ジャンル検索要求共起利用算出手段が、閲覧装置識別記号別ジャンル検索要求情報抽出・蓄積装置に蓄積されたログ情報に含まれるジャンル検索要求情報から、木構造型ディレクトリのジャンルを識別するジャンル識別記号を抽出し、
前記情報案内ディレクトリ構築装置のジャンル検索全共起情報集計手段が、この抽出したジャンル識別記号の異なる２つの組み合わせを抽出し、この抽出したジャンル識別記号の異なる２つの組み合わせの各々に対して、前記ジャンル検索要求情報での当該２つのジャンルの組み合わせの出現個数を集計した値を該当ジャンル間の共起度としてそれぞれ算出し、
前記情報案内ディレクトリ構築装置のジャンル毎高共起度ジャンル抽出手段が、ジャンル毎に各ジャンルに対応する共起度が高いジャンルを抽出し、
前記情報案内ディレクトリ構築装置のネットワーク型ディレクトリ生成手段が、各ジャンルに対して抽出した共起度が高いジャンルへ直結するリンクを木構造型ディレクトリに付加すること
を特徴とするネットワーク型情報案内ディレクトリ構築方法。
【請求項２】
インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型の情報案内ディレクトリ構築装置が行うネットワーク型情報案内ディレクトリ構築方法であって、
前記情報案内ディレクトリ構築装置の閲覧装置識別記号別ジャンル検索要求共起利用算出手段が、閲覧装置識別記号別ジャンル検索要求情報抽出・蓄積装置に蓄積されたジャンル検索要求情報およびジャンルを要求した閲覧装置を識別する閲覧装置識別記号を含むログ情報から、閲覧装置識別記号毎に利用された木構造型ディレクトリのジャンルを識別するジャンル識別記号をそれぞれ抽出し、
前記情報案内ディレクトリ構築装置のジャンル検索全共起情報集計手段が、閲覧装置識別記号毎に抽出したジャンル識別記号の異なる２つの組み合わせの各々に対して、前記ジャンル検索要求情報での当該２つのジャンルの組み合わせの出現個数を求め、各ジャンル識別情報の組み合わせに対して閲覧装置識別記号全体に渡り前記出現個数を集計した値を該当ジャンル間の共起度としてそれぞれ算出し、
前記情報案内ディレクトリ構築装置のジャンル毎高共起度ジャンル抽出手段が、ジャンル毎に各ジャンルに対応する共起度の高いジャンルを抽出し、
前記情報案内ディレクトリ構築装置のネットワーク型ディレクトリ生成手段が、各ジャンルに対して抽出した共起度が高いジャンルへ直結するリンクを木構造型ディレクトリに付加すること
を特徴とするネットワーク型情報案内ディレクトリ構築方法。
【請求項３】
インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型の情報案内ディレクトリ構築装置が行うネットワーク型情報案内ディレクトリ構築方法であって、
前記情報案内ディレクトリ構築装置の閲覧装置識別記号別ジャンル検索要求共起利用算出手段が、閲覧装置識別記号別ジャンル検索要求情報抽出・蓄積装置に蓄積されたジャンル検索要求情報およびジャンルを要求した時刻を記述するジャンル要求時刻情報を含むログ情報から時間帯毎に利用された木構造型ディレクトリのジャンルを識別するジャンル識別記号をそれぞれ抽出し、
前記情報案内ディレクトリ構築装置のジャンル検索全共起情報集計手段が、時間帯毎に抽出したジャンル識別記号の異なる２つの組み合わせの各々に対して、前記ジャンル検索要求情報での当該２つのジャンルの組み合わせの出現個数を求め、各ジャンル識別記号の組み合わせに対して時間帯毎に重みを加えて前記出現個数を集計した値を該当ジャンル間の共起度としてそれぞれ算出し、
前記情報案内ディレクトリ構築装置のジャンル毎高共起度ジャンル抽出手段が、ジャンル毎に各ジャンルに対応する共起度が高いジャンルを抽出し、
前記情報案内ディレクトリ構築装置のネットワーク型ディレクトリ生成手段が、各ジャンルに対して抽出した共起度が高いジャンルへ直結するリンクを木構造型ディレクトリに付加すること
を特徴とするネットワーク型情報案内ディレクトリ構築方法。
【請求項４】
インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型情報案内ディレクトリ構築装置であって、
ログ情報に含まれるジャンル検索要求情報から、木構造型ディレクトリのジャンルを識別するジャンル識別記号を抽出するジャンル識別記号抽出手段と、
このジャンル識別記号抽出手段で抽出したジャンル識別記号の異なる２つの組み合わせの各々に対して、前記ジャンル検索要求情報での当該２つのジャンルの組み合わせの出現個数を集計した値を該当ジャンル間の共起度としてそれぞれ算出する共起度算出手段と、
この共起度算出手段で算出した共起度を用いてジャンル毎に各ジャンルに対応する共起度が高いジャンルを抽出するジャンル毎高共起度ジャンル抽出手段と、
このジャンル毎高共起度ジャンル抽出手段で各ジャンルに対して抽出した共起度が高いジャンルへ直結するリンクを木構造型ディレクトリに付加するネットワーク型ディレクトリ生成手段と
を有することを特徴とするネットワーク型情報案内ディレクトリ構築装置。
【請求項５】
インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型情報案内ディレクトリ構築装置であって、
ジャンル検索要求情報およびジャンルを要求した閲覧装置を識別する閲覧装置識別記号を含むログ情報から閲覧装置識別記号毎に利用された木構造型ディレクトリのジャンルを識別するジャンル識別記号をそれぞれ抽出するジャンル識別記号抽出手段と、
このジャンル識別記号抽出手段で閲覧装置識別記号毎に抽出したジャンル識別記号の異なる２つの組み合わせの各々に対して、前記ジャンル検索要求情報での当該２つのジャンルの組み合わせの出現個数を求め、各ジャンル識別情報の組み合わせに対して閲覧装置識別記号全体に渡り前記出現個数を集計した値を該当ジャンル間の共起度としてそれぞれ算出する共起度算出手段と、
この共起度算出手段で算出した共起度を閲覧装置識別記号全体に渡り集計するジャンル検索全共起情報集計手段と、
このジャンル検索全共起情報集計手段で集計した共起度を用いてジャンル毎に各ジャンルに対応する共起度が高いジャンルを抽出するジャンル毎高共起度ジャンル抽出手段と、
このジャンル毎高共起度ジャンル抽出手段で各ジャンルに対して抽出した共起度が高いジャンルへ直結するリンクを木構造型ディレクトリに付加するネットワーク型ディレクトリ生成手段と
を有することを特徴とするネットワーク型情報案内ディレクトリ構築装置。
【請求項６】
インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型情報案内ディレクトリ構築装置であって、
ジャンル検索要求情報およびジャンルを要求した時刻を記述するジャンル要求時刻情報を含むログ情報から時間帯毎に利用された木構造型ディレクトリのジャンルを識別するジャンル識別記号をそれぞれ抽出するジャンル識別記号抽出手段と、
このジャンル識別記号抽出手段で時間帯毎に抽出したジャンル識別記号の異なる２つの組み合わせの各々に対して、前記ジャンル検索要求情報での当該２つのジャンルの組み合わせの出現個数を求め、各ジャンル識別記号の組み合わせに対して時間帯毎に重みを加えて前記出現個数を集計した値を該当ジャンル間の共起度としてそれぞれ算出する共起度算出手段と、
この共起度算出手段で算出した共起度を時間帯毎に重みを加えて集計するジャンル検索全共起情報集計手段と、
このジャンル検索全共起情報集計手段で集計した共起度を用いてジャンル毎に各ジャンルに対応する共起度が高いジャンルを抽出するジャンル毎高共起度ジャンル抽出手段と、
このジャンル毎高共起度ジャンル抽出手段で各ジャンルに対して抽出した共起度が高いジャンルへ直結するリンクを木構造型ディレクトリに付加するネットワーク型ディレクトリ生成手段と
を有することを特徴とするネットワーク型情報案内ディレクトリ構築装置。
【請求項７】
インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型情報案内ディレクトリ構築装置に対して、
閲覧装置識別記号別ジャンル検索要求共起利用算出手段に、閲覧装置識別記号別ジャンル検索要求情報抽出・蓄積装置に蓄積されたログ情報に含まれるジャンル検索要求情報から、木構造型ディレクトリのジャンルを識別するジャンル識別記号を抽出させ、
ジャンル検索全共起情報集計手段に、この抽出したジャンル識別記号の異なる２つの組み合わせを抽出させ、この抽出したジャンル識別記号の異なる２つの組み合わせの各々に対して、前記ジャンル検索要求情報での当該２つのジャンルの組み合わせの出現個数を集計した値を該当ジャンル間の共起度としてそれぞれ算出させ、
ジャンル毎高共起度ジャンル抽出手段に、ジャンル毎に各ジャンルに対応する共起度が高いジャンルを抽出させ、
ネットワーク型ディレクトリ生成手段に、各ジャンルに対して抽出した共起度が高いジャンルへ直結するリンクを木構造型ディレクトリに付加させる処理
を実行させるためのネットワーク型情報案内ディレクトリ構築プログラムを記録した記録媒体。
【請求項８】
インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型情報案内ディレクトリ構築装置に対して、
閲覧装置識別記号別ジャンル検索要求共起利用算出手段に、閲覧装置識別記号別ジャンル検索要求情報抽出・蓄積装置に蓄積されたジャンル検索要求情報およびジャンルを要求した閲覧装置を識別する閲覧装置識別記号を含むログ情報から閲覧装置識別記号毎に利用された木構造型ディレクトリのジャンルを識別するジャンル識別記号をそれぞれ抽出させ、
ジャンル検索全共起情報集計手段に、閲覧装置識別記号毎に抽出したジャンル識別記号の異なる２つの組み合わせの各々に対して、前記ジャンル検索要求情報での当該２つのジャンルの組み合わせの出現個数を求め、各ジャンル識別情報の組み合わせに対して閲覧装置識別記号全体に渡り前記出現個数を集計した値を該当ジャンル間の共起度としてそれぞれ算出させ、
ジャンル毎高共起度ジャンル抽出手段に、ジャンル毎に各ジャンルに対応する共起度が高いジャンルを抽出させ、
ネットワーク型ディレクトリ生成手段に、各ジャンルに対して抽出した共起度が高いジャンルへ直結するリンクを木構造型ディレクトリに付加させる処理
を実行させるためのネットワーク型情報案内ディレクトリ構築プログラムを記録した記録媒体。
【請求項９】
インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型情報案内ディレクトリ構築装置に対して、
閲覧装置識別記号別ジャンル検索要求共起利用算出手段に、閲覧装置識別記号別ジャンル検索要求情報抽出・蓄積装置に蓄積されたジャンル検索要求情報およびジャンルを要求した時刻を記述するジャンル要求時刻情報を含むログ情報から時間帯毎に利用された木構造型ディレクトリのジャンルを識別するジャンル識別記号をそれぞれ抽出させ、
ジャンル検索全共起情報集計手段に、時間帯毎に抽出したジャンル識別記号の異なる２つの組み合わせの各々に対して、前記ジャンル検索要求情報での当該２つのジャンルの組み合わせの出現個数を求め、各ジャンル識別記号の組み合わせに対して時間帯毎に重みを加えて前記出現個数を集計した値を該当ジャンル間の共起度としてそれぞれ算出させ、
ジャンル毎高共起度ジャンル抽出手段に、ジャンル毎に各ジャンルに対応する共起度が高いジャンルを抽出させ、
ネットワーク型ディレクトリ生成手段に、各ジャンルに対して抽出した共起度が高いジャンルへ直結するリンクを木構造型ディレクトリに付加させる処理
を実行させるためのネットワーク型情報案内ディレクトリ構築プログラムを記録した記録媒体。
【発明の詳細な説明】
【０００１】
【発明の属する技術分野】
本発明は、インターネットにおける情報案内サービスであるディレクトリサービスに対して閲覧装置毎の利用ジャンル情報を共起関係に基づいて分析し、従来の木構造型リンクに対して高共起度ジャンルへのネットワーク型リンクを生成するネットワーク型情報案内ディレクトリ構築方法および装置に関し、特に多数のジャンルを持つディレクトリサービスにおいて木構造型ジャンル探索に加えて、同階層ジャンルに対して共起度の高いジャンルへの直結リンクを提供することにより利用者のジャンル探索の負荷を軽減し得るネットワーク型情報案内ディレクトリ構築方法および装置とネットワーク型情報案内ディレクトリ構築プログラムを記録した記録媒体に関する。
【０００２】
【従来の技術】
従来の情報案内ディレクトリサービスでは、情報をジャンルという単位で分類し、それらのジャンルを階層化し、木構造を形成することにより、ジャンル単位で情報案内を行っている。
【０００３】
すなわち、多数の情報を案内する従来のディレクトリサービスは、情報提供者によって主観的に分野毎にジャンルを定義し、保持する情報をジャンル単位に分類し、図５に示すように複数のジャンルを大分類、中分類、小分類の固定的木構造型にまとめることによりディレクトリサービスを構成している。
【０００４】
大規模な情報案内ディレクトリサービスでは、末端階層のジャンル分類数が数千に及ぶが、従来は、これらのジャンルを固定的な木構造型ディレクトリとしてのみ、利用者に提供していた。
【０００５】
【発明が解決しようとする課題】
従来の情報案内ディレクトリサービスは、木構造型ディレクトリサービスであるため、多数あるジャンルの中から最適なジャンルを発見するためには、木構造を上下方向に探索する必要があり、ジャンル探索手段はこのような木構造を上下方向に移動するしかないという問題がある。
【０００６】
また、固定的なディレクトリであるため、多数あるジャンル間の利用者による相関を見ることが難しく、関連性の高いジャンルを見つけるためには、木構造を上下方向に探索し利用者自身によって判断する必要があるという問題がある。
【０００７】
本発明は、上記に鑑みてなされたもので、その目的とするところは、共起度の高いジャンルへの直結リンクを木構造に付加することにより階層の上下探索なしにジャンル間の移動を可能として利用者のジャンル探索の負荷を軽減し得るネットワーク型情報案内ディレクトリ構築方法および装置とネットワーク型情報案内ディレクトリ構築プログラムを記録した記録媒体を提供することにある。
【０００８】
【課題を解決するための手段】
上記目的を達成するため、請求項１記載の本発明は、インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型の情報案内ディレクトリ構築装置が行うネットワーク型情報案内ディレクトリ構築方法であって、前記情報案内ディレクトリ構築装置の閲覧装置識別記号別ジャンル検索要求共起利用算出手段が、閲覧装置識別記号別ジャンル検索要求情報抽出・蓄積装置に蓄積されたログ情報に含まれるジャンル検索要求情報から、木構造型ディレクトリのジャンルを識別するジャンル識別記号を抽出し、前記情報案内ディレクトリ構築装置のジャンル検索全共起情報集計手段が、この抽出したジャンル識別記号の異なる２つの組み合わせを抽出し、この抽出したジャンル識別記号の異なる２つの組み合わせの各々に対して、前記ジャンル検索要求情報での当該２つのジャンルの組み合わせの出現個数を集計した値を該当ジャンル間の共起度としてそれぞれ算出し、前記情報案内ディレクトリ構築装置のジャンル毎高共起度ジャンル抽出手段が、ジャンル毎に各ジャンルに対応する共起度が高いジャンルを抽出し、前記情報案内ディレクトリ構築装置のネットワーク型ディレクトリ生成手段が、各ジャンルに対して抽出した共起度が高いジャンルへ直結するリンクを木構造型ディレクトリに付加することを特徴とする。
【０００９】
請求項１記載の本発明にあっては、ジャンル間の共起関係の個数の和である共起度を算出し、共起度から高共起度のジャンルを抽出し、高共起度のジャンルにリンクを付加するため、木構造の階層を上下探索することなく、ジャンル間の移動が可能となり、利用者のジャンル探索の負荷を軽減することができる。
【００１０】
請求項２記載の本発明は、インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型の情報案内ディレクトリ構築装置が行うネットワーク型情報案内ディレクトリ構築方法であって、前記情報案内ディレクトリ構築装置の閲覧装置識別記号別ジャンル検索要求共起利用算出手段が、閲覧装置識別記号別ジャンル検索要求情報抽出・蓄積装置に蓄積されたジャンル検索要求情報およびジャンルを要求した閲覧装置を識別する閲覧装置識別記号を含むログ情報から、閲覧装置識別記号毎に利用された木構造型ディレクトリのジャンルを識別するジャンル識別記号をそれぞれ抽出し、前記情報案内ディレクトリ構築装置のジャンル検索全共起情報集計手段が、閲覧装置識別記号毎に抽出したジャンル識別記号の異なる２つの組み合わせの各々に対して、前記ジャンル検索要求情報での当該２つのジャンルの組み合わせの出現個数を求め、各ジャンル識別情報の組み合わせに対して閲覧装置識別記号全体に渡り前記出現個数を集計した値を該当ジャンル間の共起度としてそれぞれ算出し、前記情報案内ディレクトリ構築装置のジャンル毎高共起度ジャンル抽出手段が、ジャンル毎に各ジャンルに対応する共起度の高いジャンルを抽出し、前記情報案内ディレクトリ構築装置のネットワーク型ディレクトリ生成手段が、各ジャンルに対して抽出した共起度が高いジャンルへ直結するリンクを木構造型ディレクトリに付加することを特徴とする。
【００１１】
請求項２記載の本発明にあっては、閲覧装置識別記号毎にジャンル間の共起関係の個数の和である共起度を算出し、この算出した共起度を閲覧装置識別記号全体に渡り集計し、ジャンル毎に各ジャンルに対応する高共起度のジャンルを抽出し、高共起度のジャンルに直結するリンクを付加するため、木構造の階層を上下探索することなく、ジャンル間の移動が可能となり、利用者のジャンル探索の負荷を軽減することができる。
【００１２】
請求項３記載の本発明は、インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型の情報案内ディレクトリ構築装置が行うネットワーク型情報案内ディレクトリ構築方法であって、前記情報案内ディレクトリ構築装置の閲覧装置識別記号別ジャンル検索要求共起利用算出手段が、閲覧装置識別記号別ジャンル検索要求情報抽出・蓄積装置に蓄積されたジャンル検索要求情報およびジャンルを要求した時刻を記述するジャンル要求時刻情報を含むログ情報から時間帯毎に利用された木構造型ディレクトリのジャンルを識別するジャンル識別記号をそれぞれ抽出し、前記情報案内ディレクトリ構築装置のジャンル検索全共起情報集計手段が、時間帯毎に抽出したジャンル識別記号の異なる２つの組み合わせの各々に対して、前記ジャンル検索要求情報での当該２つのジャンルの組み合わせの出現個数を求め、各ジャンル識別記号の組み合わせに対して時間帯毎に重みを加えて前記出現個数を集計した値を該当ジャンル間の共起度としてそれぞれ算出し、前記情報案内ディレクトリ構築装置のジャンル毎高共起度ジャンル抽出手段が、ジャンル毎に各ジャンルに対応する共起度が高いジャンルを抽出し、前記情報案内ディレクトリ構築装置のネットワーク型ディレクトリ生成手段が、各ジャンルに対して抽出した共起度が高いジャンルへ直結するリンクを木構造型ディレクトリに付加することを特徴とする。
【００１３】
請求項３記載の本発明にあっては、時間帯毎にジャンル間の共起関係の個数の和である共起度を算出し、この算出した共起度を時間帯毎に重みを加えて集計し、ジャンル毎に各ジャンルに対応する高共起度のジャンルを抽出し、高共起度のジャンルに直結するリンクを付加するため、木構造の階層を上下探索することなく、ジャンル間の移動が可能となり、利用者のジャンル探索の負荷を軽減することができる。
【００１４】
請求項４記載の本発明は、インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型情報案内ディレクトリ構築装置であって、ログ情報に含まれるジャンル検索要求情報から、木構造型ディレクトリのジャンルを識別するジャンル識別記号を抽出するジャンル識別記号抽出手段と、このジャンル識別記号抽出手段で抽出したジャンル識別記号の異なる２つの組み合わせの各々に対して、前記ジャンル検索要求情報での当該２つのジャンルの組み合わせの出現個数を集計した値を該当ジャンル間の共起度としてそれぞれ算出する共起度算出手段と、この共起度算出手段で算出した共起度を用いてジャンル毎に各ジャンルに対応する共起度が高いジャンルを抽出するジャンル毎高共起度ジャンル抽出手段と、このジャンル毎高共起度ジャンル抽出手段で各ジャンルに対して抽出した共起度が高いジャンルへ直結するリンクを木構造型ディレクトリに付加するネットワーク型ディレクトリ生成手段とを有することを特徴とする。
【００１５】
請求項４記載の本発明にあっては、共起度を算出し、共起度から高共起度のジャンルを抽出し、高共起度のジャンルにリンクを付加するため、木構造の階層を上下探索することなく、ジャンル間の移動が可能となり、利用者のジャンル探索の負荷を軽減することができる。
【００１６】
請求項５記載の本発明は、インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型情報案内ディレクトリ構築装置であって、ジャンル検索要求情報およびジャンルを要求した閲覧装置を識別する閲覧装置識別記号を含むログ情報から閲覧装置識別記号毎に利用された木構造型ディレクトリのジャンルを識別するジャンル識別記号をそれぞれ抽出するジャンル識別記号抽出手段と、このジャンル識別記号抽出手段で閲覧装置識別記号毎に抽出したジャンル識別記号の異なる２つの組み合わせの各々に対して、前記ジャンル検索要求情報での当該２つのジャンルの組み合わせの出現個数を求め、各ジャンル識別情報の組み合わせに対して閲覧装置識別記号全体に渡り前記出現個数を集計した値を該当ジャンル間の共起度としてそれぞれ算出する共起度算出手段と、この共起度算出手段で算出した共起度を閲覧装置識別記号全体に渡り集計するジャンル検索全共起情報集計手段と、このジャンル検索全共起情報集計手段で集計した共起度を用いてジャンル毎に各ジャンルに対応する共起度が高いジャンルを抽出するジャンル毎高共起度ジャンル抽出手段と、このジャンル毎高共起度ジャンル抽出手段で各ジャンルに対して抽出した共起度が高いジャンルへ直結するリンクを木構造型ディレクトリに付加するネットワーク型ディレクトリ生成手段とを有することを特徴とする。
【００１７】
請求項５記載の本発明にあっては、閲覧装置識別記号毎にジャンル間の共起関係の個数の和である共起度を算出し、この算出した共起度を閲覧装置識別記号全体に渡り集計し、ジャンル毎に各ジャンルに対応する高共起度のジャンルを抽出し、高共起度のジャンルに直結するリンクを付加するため、木構造の階層を上下探索することなく、ジャンル間の移動が可能となり、利用者のジャンル探索の負荷を軽減することができる。
【００１８】
請求項６記載の本発明は、インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型情報案内ディレクトリ構築装置であって、ジャンル検索要求情報およびジャンルを要求した時刻を記述するジャンル要求時刻情報を含むログ情報から時間帯毎に利用された木構造型ディレクトリのジャンルを識別するジャンル識別記号をそれぞれ抽出するジャンル識別記号抽出手段と、このジャンル識別記号抽出手段で時間帯毎に抽出したジャンル識別記号の異なる２つの組み合わせの各々に対して、前記ジャンル検索要求情報での当該２つのジャンルの組み合わせの出現個数を求め、各ジャンル識別記号の組み合わせに対して時間帯毎に重みを加えて前記出現個数を集計した値を該当ジャンル間の共起度としてそれぞれ算出する共起度算出手段と、この共起度算出手段で算出した共起度を時間帯毎に重みを加えて集計するジャンル検索全共起情報集計手段と、このジャンル検索全共起情報集計手段で集計した共起度を用いてジャンル毎に各ジャンルに対応する共起度が高いジャンルを抽出するジャンル毎高共起度ジャンル抽出手段と、このジャンル毎高共起度ジャンル抽出手段で各ジャンルに対して抽出した共起度が高いジャンルへ直結するリンクを木構造型ディレクトリに付加するネットワーク型ディレクトリ生成手段とを有することを特徴とする。
【００１９】
請求項６記載の本発明にあっては、時間帯毎のジャンル間の共起関係の個数の和である共起度を算出し、この算出した共起度を時間帯毎に重みを加えて集計し、ジャンル毎に各ジャンルに対応する高共起度のジャンルを抽出し、高共起度のジャンルに直結するリンクを付加するため、木構造の階層を上下探索することなく、ジャンル間の移動が可能となり、利用者のジャンル探索の負荷を軽減することができる。
【００２０】
請求項７記載の本発明は、インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型情報案内ディレクトリ構築装置に対して、閲覧装置識別記号別ジャンル検索要求共起利用算出手段に、閲覧装置識別記号別ジャンル検索要求情報抽出・蓄積装置に蓄積されたログ情報に含まれるジャンル検索要求情報から、木構造型ディレクトリのジャンルを識別するジャンル識別記号を抽出させ、ジャンル検索全共起情報集計手段に、この抽出したジャンル識別記号の異なる２つの組み合わせを抽出させ、この抽出したジャンル識別記号の異なる２つの組み合わせの各々に対して、前記ジャンル検索要求情報での当該２つのジャンルの組み合わせの出現個数を集計した値を該当ジャンル間の共起度としてそれぞれ算出させ、ジャンル毎高共起度ジャンル抽出手段に、ジャンル毎に各ジャンルに対応する共起度が高いジャンルを抽出させ、ネットワーク型ディレクトリ生成手段に、各ジャンルに対して抽出した共起度が高いジャンルへ直結するリンクを木構造型ディレクトリに付加させる処理を実行させるためのネットワーク型情報案内ディレクトリ構築プログラムを記録した記録媒体である。
【００２１】
請求項７記載の本発明にあっては、ジャンル間の共起関係の個数の和である共起度を算出し、共起度から高共起度のジャンルを抽出し、高共起度のジャンルにリンクを付加するネットワーク型情報案内ディレクトリ構築プログラムを記録媒体に記録しているため、該記録媒体を用いて、その流通性を高めることができる。
【００２２】
請求項８記載の本発明は、インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型情報案内ディレクトリ構築装置に対して、閲覧装置識別記号別ジャンル検索要求共起利用算出手段に、閲覧装置識別記号別ジャンル検索要求情報抽出・蓄積装置に蓄積されたジャンル検索要求情報およびジャンルを要求した閲覧装置を識別する閲覧装置識別記号を含むログ情報から閲覧装置識別記号毎に利用された木構造型ディレクトリのジャンルを識別するジャンル識別記号をそれぞれ抽出させ、ジャンル検索全共起情報集計手段に、閲覧装置識別記号毎に抽出したジャンル識別記号の異なる２つの組み合わせの各々に対して、前記ジャンル検索要求情報での当該２つのジャンルの組み合わせの出現個数を求め、各ジャンル識別情報の組み合わせに対して閲覧装置識別記号全体に渡り前記出現個数を集計した値を該当ジャンル間の共起度としてそれぞれ算出させ、ジャンル毎高共起度ジャンル抽出手段に、ジャンル毎に各ジャンルに対応する共起度が高いジャンルを抽出させ、ネットワーク型ディレクトリ生成手段に、各ジャンルに対して抽出した共起度が高いジャンルへ直結するリンクを木構造型ディレクトリに付加させる処理を実行させるためのネットワーク型情報案内ディレクトリ構築プログラムを記録した記録媒体である。
【００２３】
請求項８記載の本発明にあっては、閲覧装置識別記号毎にジャンル間の共起関係の個数の和である共起度を算出し、この算出した共起度を閲覧装置識別記号全体に渡り集計し、ジャンル毎に各ジャンルに対応する高共起度のジャンルを抽出し、高共起度のジャンルに直結するリンクを付加するネットワーク型情報案内ディレクトリ構築プログラムを記録媒体に記録しているため、該記録媒体を用いて、その流通性を高めることができる。
【００２４】
請求項９記載の本発明は、インターネットを介して複数のジャンルを持つディレクトリサービスを行うＨＴＴＰサーバに対して行われたアクセスを記録するログ情報を用い、ジャンルを単位として分類される木構造型の情報案内ディレクトリを構築するネットワーク型情報案内ディレクトリ構築装置に対して、閲覧装置識別記号別ジャンル検索要求共起利用算出手段に、閲覧装置識別記号別ジャンル検索要求情報抽出・蓄積装置に蓄積されたジャンル検索要求情報およびジャンルを要求した時刻を記述するジャンル要求時刻情報を含むログ情報から時間帯毎に利用された木構造型ディレクトリのジャンルを識別するジャンル識別記号をそれぞれ抽出させ、ジャンル検索全共起情報集計手段に、時間帯毎に抽出したジャンル識別記号の異なる２つの組み合わせの各々に対して、前記ジャンル検索要求情報での当該２つのジャンルの組み合わせの出現個数を求め、各ジャンル識別記号の組み合わせに対して時間帯毎に重みを加えて前記出現個数を集計した値を該当ジャンル間の共起度としてそれぞれ算出させ、ジャンル毎高共起度ジャンル抽出手段に、ジャンル毎に各ジャンルに対応する共起度が高いジャンルを抽出させ、ネットワーク型ディレクトリ生成手段に、各ジャンルに対して抽出した共起度が高いジャンルへ直結するリンクを木構造型ディレクトリに付加させる処理を実行させるためのネットワーク型情報案内ディレクトリ構築プログラムを記録した記録媒体である。
【００２５】
請求項９記載の本発明にあっては、時間帯毎のジャンル間の共起関係の個数の和である共起度を算出し、この算出した共起度を時間帯毎に重みを加えて集計し、ジャンル毎に各ジャンルに対応する高共起度のジャンルを抽出し、高共起度のジャンルに直結するリンクを付加するネットワーク型情報案内ディレクトリ構築プログラムを記録媒体に記録しているため、該記録媒体を用いて、その流通性を高めることができる。
【００２６】
【発明の実施の形態】
以下、図面を用いて本発明の実施の形態について説明する。図１は、本発明の一実施形態に係るネットワーク型情報案内ディレクトリ構築装置の構成を示すブロック図である。同図に示すネットワーク型情報案内ディレクトリ構築装置では、ディレクトリサービスを行うＨＴＴＰサーバに対して行われたアクセスを記録したログ情報１０を用いてジャンル間の共起関係の個数の和である共起度を算出している。ログ情報１０には、ジャンル要求時刻情報１１、ジャンルを要求した閲覧装置識別記号１２、ジャンル検索要求情報１３が含まれている。なお、ディレクトリサービスとは、情報発信者が保持する多数の情報を分野別にジャンル単位に分類し、大、中、小等の階層を作成し、木構造型に保持する情報を案内するサービスである。
【００２７】
ジャンル要求時刻情報１１、閲覧装置識別記号１２、およびジャンル検索要求情報１３を含むログ情報１０は、閲覧装置識別記号別ジャンル検索要求情報抽出・蓄積装置１４に入力され、閲覧装置識別記号別にジャンル検索要求情報を抽出して蓄積する。
【００２８】
特定の閲覧装置識別記号が利用した複数のジャンルを特定の閲覧装置によって共起利用されたジャンルと定義し、閲覧装置識別記号別ジャンル検索要求情報抽出・蓄積装置１４の出力を閲覧装置識別記号別ジャンル検索共起利用算出装置１５に入力することにより、閲覧装置識別記号毎の共起ジャンルを算出する。
【００２９】
閲覧装置識別記号別ジャンル検索共起利用算出装置１５によって閲覧装置毎に算出された共起ジャンルは、ジャンル検索全共起情報集計装置１６に入力され、ディレクトリサービスのジャンル全体に渡る共起関係が集計され、出現した共起関係の個数の和をそのジャンル間の共起度とし、全ジャンルの組み合わせに対して共起度が算出される。
【００３０】
具体的には、ディレクトリサービスが保持するジャンルがＮ個ある場合には、
【数１】
0003576392.tif 000002
のジャンルの組み合わせが存在するが、その組み合わせ全てに対して共起度を算出する。
【００３１】
ジャンル検索全共起情報集計装置１６の出力は、ジャンル毎高共起度ジャンル抽出装置１７に入力され、ジャンル毎のそのジャンルに対応した高共起度のジャンルが抽出される。ジャンル毎高共起度ジャンル抽出装置１７の出力は、ネットワーク型ディレクトリ生成装置１８に入力され、木構造型ディレクトリが包含する各ジャンルに対して高共起度ジャンルへのリンクを付加したネットワーク型ディレクトリ１９を生成する。
【００３２】
次に、図２を参照して、共起度の算出アルゴリズムについて詳細に説明する。
【００３３】
閲覧装置毎に任意の期間に渡って記録されたジャンル検索利用情報からジャンル識別記号を抽出する。これらのジャンルをある閲覧装置によって共起利用されたジャンルと呼ぶ。１１０にその例を示す。抽出された共起ジャンル識別記号の組み合わせ（２つを抜き出す）を抽出する。その際、ジャンル識別記号自身との組み合わせは抽出しない。１１１にその概念、１１２に１１０から上記操作を行った場合の例を示す。
【００３４】
出現したジャンルの組み合わせの出現個数を集計する。１１３に例を示す。集計されたジャンルの組み合わせの出現個数を、そのジャンルの組み合わせに対する共起度とする。この共起度を閲覧装置識別記号全体に渡り集計することにより、閲覧装置識別記号全体の共起度特性が得られる。時間経過に対する共起度特性の変化に対応するためには、過去の共起度に対して、最新の共起度をそれぞれ適当な重みを加えた上で加算することで対応する。
【００３５】
次に、図３および図４を参照して、前記実施形態の具体例について説明する。なお、図３に示す装置構成は図１のものと同じであるが、図３ではログ情報等の各情報の具体例が図示されている。また、図４は本実施形態において共起関係に基づいて生成されたネットワーク型ディレクトリの一例を示している。
【００３６】
この具体例において、ログ情報１０の内容は、図３において１０−１で示されている。本実施形態では、一般的なＷＷＷにおいて広く普及しているコモン・ログフォーマットに基づいたログ情報を例として用いる。ログ情報１０には、要求時刻情報１１、閲覧装置識別記号１２、ジャンル検索要求情報１３が含まれている。ログ１０−１の場合、それぞれ、「０１／Ｊａｎ／１９９８：０９：０６：１３  ＋０９００」、「ｙ７Ｒ１ＱＴＯＰ６ｗＹＡＡＦ０ＲＡＡｏＡＡＡＡＡ」、「”ＧＥＴ／ＮＴＴＤＩＲＵＳＲ／０５０４０００２００１０００００００００００００．ｈｔｍｌ  ＨＴＴＰ／１．０”」がそれぞれ要求時刻情報１１、閲覧装置識別記号１２、ジャンル検索要求情報１３に当たる。ここで、ログ１０−１の場合、ジャンル検索要求情報の中に記述されている２４桁の数字が利用したジャンル識別記号である。
【００３７】
このログ情報を閲覧装置識別記号別ジャンル検索要求情報抽出・蓄積装置１４に入力することにより、閲覧装置別のジャンル検索要求情報が抽出・蓄積される。例を１４−１に示す。
【００３８】
閲覧装置識別記号別ジャンル検索要求情報抽出・蓄積装置１４の出力を閲覧装置識別記号別ジャンル検索共起利用算出装置１５に入力することにより、閲覧装置識別記号別に利用したジャンル検索情報を集計し、１つの閲覧装置によって利用されたジャンルを共起ジャンルとし、その共起ジャンルを識別する文字列を結合した出力を得る。１５−１に例を示す。
【００３９】
閲覧装置識別記号別ジャンル検索共起利用算出装置１５の出力をジャンル検索全共起情報集計装置１６に入力することにより、ディレクトリサービスを利用した全利用者によるジャンル検索利用に対するジャンル共起度がジャンル−ジャンルの組み合わせ単位で集計される。１６−１にその出力例を示す。
【００４０】
ジャンル共起度が得られたジャンル−ジャンルの組み合わせは、全ジャンル数から２つの組み合わせを抜き出す数だけ存在するが、ある特定のジャンルに対する高共起度ジャンルをジャンル検索全共起情報集計装置１６の出力をジャンル毎高共起度ジャンル抽出装置１７に入力することにより得る。
【００４１】
ジャンル毎高共起度ジャンル抽出装置１７の出力をネットワーク型ディレクトリ生成装置１８に入力することにより、木構造型ディレクトリに内包される各ジャンルに対し、高共起度ジャンルをリンクで結んだネットワーク型ディレクトリ１９を得る。その例を図４に示す。
【００４２】
上述したように、本発明では、ディレクトリサービスを行っているＨＴＴＰサーバに対して行われたアクセスを記録したログ情報に含まれているジャンル要求時刻情報１１、閲覧装置識別記号１２、ジャンル検索要求情報１３の３つの情報を基にして、利用者の閲覧装置毎にジャンル検索利用情報を抽出し、閲覧装置毎に共起度の高いジャンルの組み合わせを発見し、そのようなジャンル間を直結するリンクを木構造に付加することにより、階層の上下探索なしにジャンル間の移動を可能とするとともに、利用者全体の利用情報に基づく関連性の高いジャンルへの案内をすることができる。また、これらの操作を任意時間間隔で行うことにより、利用者のジャンル検索利用傾向を動的に反映したディレクトリを生成することが可能となる。
【００４３】
また、本発明では、木構造型のみのディレクトリではなく、利用者のジャンル検索利用形態を共起関係に着目することにより抽出し、抽出された共起関係に基づき、高共起度ジャンル間を直接リンクで結ぶことにより、利用者に木構造を上下探索することなく、高共起度ジャンルへの案内を容易にすることにある。また、上下移動に加え、ジャンル間の水平移動が可能となることから、利用者にとってのジャンル探索の手法が増えることにある。また、ネットワーク型ディレクトリを随時生成・更新することにより、利用者のジャンル検索利用動向を随時反映した動的なディレクトリを提供している。
【００４４】
【発明の効果】
以上説明したように、本発明によれば、ログ情報に基づいて利用者のジャンル検索利用特性を反映したネットワーク型ディレクトリが随時構築可能となり、情報提供者による固定的な木構造型ディレクトリに比較して、共起度が高い、すなわち関連性が高いと考えられるジャンルへの移動が木構造に対する上下移動なしに直接到達できるディレクトリの生成が可能となる。また、高共起度ジャンルを閲覧することにより、利用者のジャンル探索の発想を支援することが可能となる。また、利用者が想定できないジャンルを発見することが可能となり、利用者の創造性を広げることが可能となる。
【図面の簡単な説明】
【図１】本発明の一実施形態に係るネットワーク型情報案内ディレクトリ構築装置の構成を示すブロック図である。
【図２】共起度の算出アルゴリズムを示す説明図である。
【図３】図１に示す実施形態において具体例を示す図である。
【図４】本発明のネットワーク型情報案内ディレクトリ構築装置によって得られるネットワーク型ディレクトリの例を示す図である。
【図５】従来の木構造型のみのディレクトリ構造の例を示す図である。
【符号の説明】
１０  ログ情報
１１  ジャンル要求時刻情報
１２  閲覧装置識別記号
１３  ジャンル検索要求情報
１４  閲覧装置識別記号別ジャンル検索要求情報抽出・蓄積装置
１５  閲覧装置識別記号別ジャンル検索共起利用算出装置
１６  ジャンル検索全共起情報集計装置
１７  ジャンル毎高共起度ジャンル抽出装置
１８  ネットワーク型ディレクトリ生成装置
１９  ネットワーク型ディレクトリ
【図１】
0003576392.tif 000003
【図２】
0003576392.tif 000004
【図３】
0003576392.tif 000005
【図４】
0003576392.tif 000006
【図５】
0003576392.tif 000007